【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
ユーザ問合せに応答する方法であって、
複数の注釈ユーザによって作成された注釈の記憶部にアクセスするステップであって、各注釈が、前記注釈ユーザの少なくとも１人と、コーパスに属する複数のドキュメントの少なくとも１つに関連付けられている、ステップと、
前記コーパスに属する前記複数のドキュメントの１つのユーザ特有のメタデータの１つ又は複数のアイテムを、前記複数の注釈ユーザ全体にわたって集め、それによって、前記コーパスに属する前記複数のドキュメントの１つの集計グローバルレーティングを含む、前記ドキュメントの１つ又は複数の集計属性を生成する、ステップと、
前記複数の注釈ユーザの１人である問合せユーザによって提示された問合せを受信するステップと、
１つ又は複数のヒットを識別するために前記コーパスをサーチするステップであって、各ヒットが、前記問合せに関連したものであると判断された、前記コーパスからのドキュメントである、ステップと、
前記ヒットのリストを含むサーチレポートを生成するステップであって、前記リストが、前記ヒットの前記集計属性に基づくものである、ステップと、
前記サーチレポートを前記問合せユーザに送信するステップと、を有する、方法。
【請求項２】
前記ユーザ特有のメタデータの１つ又は複数のアイテムを集めるステップは、前記注釈の平均レーティングを計算することを含み、前記平均レーティングは前記集計属性の１つである、請求項１記載の方法。
【請求項３】
前記サーチレポートを生成するステップは、前記ヒットのそれぞれの前記平均レーティングを前記サーチレポートに含ませることを含む、請求項２記載の方法。
【請求項４】
前記サーチレポートを生成するステップは、前記ヒットのそれぞれの少なくとも前記平均レーティングに基づいて、前記ヒットの前記リストを整列することを含む、請求項２記載の方法。
【請求項５】
前記ユーザ特有のメタデータの１つ又は複数のアイテムは、前記注釈ユーザによって予め定義されたボキャブラリから選択されたラベルを含む、請求項１記載の方法。
【請求項６】
前記予め定義されたボキャブラリは、複数のカテゴリのラベルを含む、請求項５記載の方法。
【請求項７】
前記ユーザ特有のメタデータの１つ又は複数のアイテムを集めるステップは、最も頻繁に選択されるラベルのラベルセットを識別することを含み、前記ラベルセットは前記集計属性の１つである、請求項１記載の方法。
【請求項８】
前記コーパスをサーチするステップは、
前記問合せからサーチタームを抽出するステップと、
前記ラベルセットが前記サーチタームを含むところの前記コーパス内の任意のドキュメントをヒットとして識別するステップと、を含む、請求項７記載の方法。
【請求項９】
前記サーチレポートは、各ヒットの前記ラベルセットを含む、請求項８記載の方法。
【請求項１０】
前記問合せユーザによって作成された注釈を前記注釈の記憶部が保持するところの前記ヒットのそれぞれを、注釈付きヒットとして識別するステップと、
前記問合せユーザによって作成された注釈を前記注釈の記憶部が保持するところの前記ヒットのそれぞれのために、各ヒットが注釈付きヒットであるか否かの表示を前記サーチレポート内に含ませるステップと、をさらに有する、請求項１記載の方法。
【請求項１１】
前記サーチレポートは、各注釈付きヒットの前記問合せユーザの注釈を見るため、前記問合せユーザによって操作可能な制御をさらに含む、請求項１０記載の方法。
【請求項１２】
前記サーチレポートは、各注釈付きヒットの前記問合せユーザの注釈から抽出されたメタデータをさらに含む、請求項１０記載の方法。
【請求項１３】
前記コーパスはワールドワイドウェブである、請求項１記載の方法。
【請求項１４】
ユーザ問合せに応答するコンピュータシステムであって、
ネットワークを介して１つ又は複数のクライアントデバイスに通信可能に接続されたサーバを備え、
前記サーバは、
複数のドキュメントを含むコーパスのサーチ可能な表示を記憶するように構成されたインデックスデータ記憶部と、
複数の注釈ユーザによって作成された注釈を記憶するように構成された個人化データ記憶部であって、各注釈が、前記コーパス内の前記ドキュメントの少なくとも１つに関連付けられており、前記ドキュメントに関連する１つ又は複数のユーザ特有のメタデータを含む、個人化データ記憶部と、
前記個人化データ記憶部及び前記インデックスデータ記憶部に通信可能に接続された集計モジュールであって、前記コーパスに属する前記複数のドキュメントの１つのユーザ特有のメタデータの１つ又は複数のアイテムを、前記複数の注釈ユーザ全体にわたって集め、それによって、前記コーパスに属する前記複数のドキュメントの１つの集計グローバルレーティングを含む、前記ドキュメントの１つ又は複数の集計属性を生成するように構成された集計モジュールと、
前記インデックスデータ記憶部及び前記個人化データ記憶部に通信可能に接続されたサーチモジュールと、を備え、
前記サーチモジュールは、
前記複数の注釈ユーザの１人である問合せユーザによって提示された問合せを受信するように構成された入力制御ロジックと、
前記インデックスデータ記憶部をサーチし、１つ又は複数のヒットを識別するように構成されたサーチ制御ロジックであって、各ヒットが、前記問合せに関連したものであると判断された前記コーパス内のドキュメントである、サーチ制御ロジックと、
前記ヒットの集計グローバルレーティングを含む、前記ヒットの集計属性に基づく前記ヒットのリストを含むサーチレポートを生成するように構成されたレポーティング制御ロジックであって、さらに、前記サーチレポートを前記問合せユーザに送信するように構成されたレポーティング制御ロジックと、を備える、コンピュータシステム。
【請求項１５】
前記集計モジュールは、さらに、前記注釈の平均レーティングを計算するように構成され、前記平均レーティングは前記集計属性の１つである、請求項１４記載のコンピュータシステム。
【請求項１６】
前記レポーティング制御ロジックは、さらに、前記ヒットのそれぞれの前記平均レーティングを前記サーチレポートに含ませるように構成されている、請求項１５記載のコンピュータシステム。
【請求項１７】
前記レポーティング制御ロジックは、さらに、前記ヒットのそれぞれの少なくとも前記平均レーティングに基づいて、前記ヒットの前記リストを整列するように構成されている、請求項１５記載のコンピュータシステム。
【請求項１８】
前記集計モジュールは、さらに、最も頻繁に選択されるラベルのラベルセットを識別するように構成され、前記ラベルセットは前記集計属性の１つである、請求項１４記載のコンピュータシステム。
【請求項１９】
前記サーチ制御ロジックは、さらに、
前記問合せユーザによって作成された注釈を前記注釈の記憶部が保持するところの前記ヒットのそれぞれを、注釈付きヒットとして識別し、
前記問合せユーザによって作成された注釈を前記注釈の記憶部が保持するところの前記ヒットのそれぞれのために、各ヒットが注釈付きヒットであるか否かの表示を前記サーチレポート内に含ませる、ように構成されている、請求項１４記載のコンピュータシステム。
【請求項２０】
前記サーチレポートは、各注釈付きヒットの前記問合せユーザの注釈を見るため、前記問合せユーザによって操作可能な制御をさらに含む、請求項１９記載のコンピュータシステム。